(57)【要約】      （修正有）【課題】火災等の異常を感知する端末機器よりの信号を受信して、発生した異常内容とその発生箇所を警報する監視装置において、異常発生時に監視員が事態を迅速に正しく認識できるようにする。【解決手段】火災等の異常を感知する端末機器よりの信号を受信した監視装置において、異常発生箇所を文字表示すると共に、予め登録しておいた読み仮名データに基てその読み仮名を表示し、さらに、この読み仮名データを利用して異常発生内容と発生箇所を音声出力で警報する。【選択図】図４
2011048533.tif 000002
【特許請求の範囲】
【請求項１】
火災発生等の異常を感知する端末機器よりの信号を受信する通信部と、該信号に応じて情報を処理し装置内の各部を制御する制御部と、該制御部からの指令によって異常発生箇所を文字表示する表示部と、を備えた監視装置において、
予め地区名称とその読み仮名の文字情報を登録、記憶した地区名称データベースを備え、異常発生時には前記地区名称データベースに基き、異常発生箇所の地区名称と共に、その読み仮名を、前記表示部に文字表示することを特徴とする監視装置。
【請求項２】
前記地区名称とその読み仮名の一組を任意に選択して前記制御部を介して該表示部に表示させる操作ができる操作部を備え、さらに、該操作部の操作により、前記読み仮名に対応する前記文字情報を読み上げ、音声出力する音声出力部を備えることを特徴とする、請求項１記載の監視装置。
【請求項３】
火災等の異常発生時に、該制御部を介して該表示部が自動的に異常発生箇所の地区名称とその読み仮名とを文字表示すると共に、前記地区名称データベースに予め登録、記憶した、前記読み仮名に対応する前記文字情報を読み上げて音声警報メッセージの一部を構成し、予め音声信号を登録、記憶した固定メッセージと併せて音声で警報する音声出力部を備えたことを特徴とする、請求項１または請求項２記載の監視装置。
【請求項４】
火災等の異常発生時に、該制御部を介して該表示部が自動的に異常発生箇所の地区名称とその読み仮名とを文字表示すると共に、前記地区名称データベースに予め登録、記憶した、前記読み仮名に対応する前記文字情報を読み上げて音声警報メッセージの一部を構成し、予め文字情報として登録、記憶した固定メッセージを併せて読み上げて音声で警報する音声出力部を備えたことを特徴とする、請求項１または請求項２記載の監視装置。
【発明の詳細な説明】
【技術分野】
【０００１】
本発明は、火災等の異常を感知する端末機器からの信号を受信して、異常内容と発生箇所を文字表示し、音声で警報する火災受信機や総合操作盤等の監視装置に関する。
【背景技術】
【０００２】
火災等の異常を感知する端末機器よりの信号を受信して、発生した異常内容とその発生箇所を警報する火災受信機や総合操作盤等の監視装置において、発生した異常内容を音声警報すると共に文字表示し、さらに、単なる番号や記号の羅列ではなく、地区名称を表示させる為の文字表示用データベースを有し、異常発生箇所を監視員が把握し易い地区名称に変換して文字表示する装置が普及している。
【０００３】
しかしながら、音声警報は発生した異常内容を警報するものの、その発生箇所まで知らせるものまでは普及しておらず、監視員は地区名称の文字表示に依って異常発生箇所を認識しているのが現状である。
【０００４】
これに対し、異常発生箇所を知らせる音声警報を行う為に、専用のデータベースを有し、音声合成によって異常発生箇所を音声警報する装置が提案されている。（特許文献１参照）
【先行技術文献】
【特許文献】
【０００５】
【特許文献１】特開２００２−２６０１１５号公報
【発明の概要】
【発明が解決しようとする課題】
【０００６】
しかしながら、異常発生箇所の地区名称を文字表示するものにあっては、表示される地区名称に難読な文字が使われるケースがあり、異常発生時に監視員が位置情報を正確に認識できず、現場の異常状況を確認する作業を正しく行えなかったり、管理責任者や第三者に状況を正しく伝達できない危険性があった。
【０００７】
また、異常発生箇所を音声で警報するものは、その情報によって監視員が異常発生箇所を把握できるようになるものの、異常発生箇所に応じた音声合成用発声データのデータベースを新たに設ける必要があり、発声データの録音、データ化に要する工数増大に加え、データベースの肥大化等によってコストアップを招き、普及の障害となっていた。
【課題を解決するための手段】
【０００８】
請求項１記載の監視装置は、火災発生等の異常を感知する端末機器よりの信号を受信する通信部と、該信号に応じて情報を処理し装置内の各部を制御する制御部と、該制御部からの指令によって異常発生箇所を文字表示する表示部と、を備えた監視装置において、予め、地区名称に加えてその読み仮名の文字情報を登録、記憶した地区名称データベースを備え、異常発生時には前記地区名称データベースに基き、異常発生箇所の地区名称と共に、その読み仮名を、前記表示部に文字表示する構成とした。
【０００９】
請求項２記載の監視装置は、前記地区名称とその読み仮名の一組を任意に選択し、前記制御部を介して該表示部に表示させる操作ができる操作部を備え、さらに、該操作部の操作により、前記読み仮名に対応する前記文字情報を読み上げ、音声出力する音声出力部を備えた。
【００１０】
請求項３記載の監視装置は、火災等の異常発生時に、該制御部を介して該表示部が自動的に異常発生箇所の地区名称とその読み仮名とを文字表示すると共に、前記地区名称データベースに予め登録、記憶した、前記読み仮名に対応する前記文字情報を読み上げて音声警報メッセージの一部を構成し、予め発声を登録、記憶した固定メッセージと併せて音声で異常発生内容とその発生箇所を警報する音声出力部を備えた。
【００１１】
請求項４記載の監視装置は、前記音声で警報する固定メッセージを、予め文字情報として登録、記憶しておき、前記地区名称データベースに予め登録、記憶した発生箇所に対応する文字情報と併せて読み上げて音声警報用のメッセージを構成し、異常発生内容とその発生箇所とを警報する音声出力部を備えた。
【発明の効果】
【００１２】
請求項１記載の監視装置によれば、予め地区名称とその読み仮名の文字情報を登録した地区名称データベースを備え、異常発生時には前記データベースに基き、異常発生箇所の地区名称と共に、その読み仮名を、表示部に文字表示する構成としたので、難読な地区名称であっても特別な教育を行うことなく監視員は正しい読みを知ることができる。また、障害や高齢化等で視力が低下している者にとって、画数が多い漢字など読み辛い文字についても、読み仮名を表示することで読解を支援する機能を備えることとなる。したがって、監視員は確認すべき異常発生箇所を正しく認識することができるので、迅速に現場確認等の対処を行うことができ、管理責任者や第三者に状況を正しく伝達することができる。
【００１３】
請求項２記載の監視装置によれば、地区名称とその読み仮名の一組を任意に選択して表示部に双方を表示させる操作ができる操作部を備え、さらに、該操作部の操作により、前記読み仮名に対応する前記文字情報を読み上げ、音声出力する構成としたので、異常が発生していないときであっても、特別な教育を行うことなく、監視員は難読な地区名称でも正しい読みを知ることができる。したがって、平常時であっても、監視員は異常発生時の対処に備えることができる。
【００１４】
請求項３記載の監視装置によれば、火災等の異常発生時に、該制御部を介して該表示部が自動的に異常発生箇所の地区名称とその読み仮名とを文字表示すると共に、前記地区名称データベースに予め登録した、前記読み仮名に対応する前記文字情報を読み上げて音声警報メッセージの一部を構成し、予め発声を登録した固定メッセージと併せて音声で警報する構成としたので、前記文字情報を音声警報にも共用することができ、地区表示に応じた音声合成用発声データのデータベースを新たに設ける必要がない。したがって、発声データの録音やデータ化が不要で、データベースの肥大化を防止し、コストおよび工数を低減することができる。
【００１５】
また、読み仮名付の文字表示と音声警報、すなわち、視覚および聴覚の両面で異常発生とその発生箇所を警報するので、監視員の認知度を増すことができ、現場の状況をより正しく認識することができるようになることから、迅速に現場確認等の対処を行うことができ、管理責任者や第三者に状況を正しく伝達することができる。
【００１６】
請求項４記載の監視装置によれば、請求項３に記載した、音声で警報する固定メッセージを、予め文字情報として登録、記憶し、前記地区名称データベースに予め登録、記憶した文字情報と併せて読み上げて音声警報のメッセージを構成したので、音声合成用の発声データをすべて文字情報に置き換えることができる。したがって、発声データの録音やデータ化が不要となり、データベースの肥大化を防止し、コストおよび工数を低減することができると共に、変更要請に対して柔軟に対応できるようになる。
【００１７】
また、請求項３記載の監視装置と同様、読み仮名付の文字表示と音声警報、すなわち、視覚および聴覚の両面で異常発生とその発生箇所を警報するので、監視員の認知度を増すことができ、現場の状況をより正しく認識することができるようになることから、迅速に現場確認等の対処を行うことができ、管理責任者や第三者に状況を正しく伝達することができる。
【図面の簡単な説明】
【００１８】
【図１】本発明の実施の形態１および２に係る監視装置の構成図
【図２】本発明の実施の形態１に係る監視装置の異常箇所表示の例
【図３】本発明の実施の形態３に係る監視装置の構成図
【図４】本発明の実施の形態４に係る監視装置の構成図
【図５】本発明の実施の形態５に係る自動火災報知設備の例
【図６】本発明の実施の形態６に係る自動火災報知設備の例
【発明を実施するための形態】
【００１９】
以下、本発明の実施の形態を、図面を用いて説明する。
【００２０】
実施の形態１．
図１は本発明に係る監視装置全体の構成図であり、監視装置１には、通信部２、制御部３、表示・操作部４、音声出力部５、地区名称データベース６が備えられている。
【００２１】
通信部２は、異常を感知する端末機器からの信号を、直接または図示しない信号中継装置を介して間接的に受信し、アドレス番号等の端末機器固有の情報と、異常内容の情報と、を制御部３に送出するものである。制御部３からの制御信号を受けて、端末機器の遠隔点検、防火扉等の自動閉鎖装置の作動、消火ポンプの始動等、端末機器を遠隔操作する信号を送出する場合もある。
【００２２】
制御部３は、異常を感知した端末機器の情報を通信部２を介して受け取り、前記端末機器固有の情報に基き、地区名称データベース６より地区名称データとその読み仮名データを取得し、表示・操作部４に送出するものである。
【００２３】
表示・操作部４は、制御部３より受信した前記データに基き、異常箇所の地区名称とその読み仮名とを表示部に表示するものである。
【００２４】
まず、端末機器が異常を感知した場合の動作について説明する。
【００２５】
通信部２は、異常を感知する端末機器からの信号を直接または間接的に受信し、アドレス番号等の端末機器固有の情報と異常内容の情報とを制御部３に送出する。異常を感知した端末機器の情報を通信部２を介して受け取った制御部３は、前記端末機器固有の情報に基き、地区名称データベース６より地区名称データとその読み仮名データを取得し、表示・操作部４に送出する。表示・操作部４に備えられた表示部は、制御部３より受信した前記データに基き、異常箇所の地区名称とその読み仮名を表示する。
【００２６】
この時の表示部の表示例を図２に示す。
【００２７】
図２（Ａ）に示した「塔屋」および「ＥＬＶ」は建築分野独特の言葉であり、その分野に通じていない者にとっては読み辛い名称であるが、このように「トウヤ」、「エレベーター」と読み仮名を表示することによって、誰でも読めるようになるのである。
【００２８】
同様に、図２（Ｂ）に示した「荷捌き（ニサバキ）」は運輸や流通などの分野で用いられる言葉であるが、一般的に用いる機会が少ない漢字である。また図２（Ｃ）に示した「緞帳（ドンチョウ）」は、演劇分野では馴染み深い舞台上の装置を示す言葉であっても、観劇する習慣の無い者にとっては難読であり、意味不明とも言える。これらの名称に読み仮名を表示することによって、業態、習慣、趣味、語彙力の違いを超えて、異常発生箇所を容易に認知できるようになるのである。
【００２９】
また、通信部２は、遠隔操作制御部３からの制御信号を受けて、端末機器の遠隔点検、防火扉等の自動閉鎖装置の作動、消火ポンプの始動等、端末機器を自動的に遠隔動作する信号を送出したり、マニュアルで遠隔操作する信号を送出しているとき、また、前記操作によって端末機器の作動完了の信号を受信したとき、端末機器の場所や作動状況を制御部３を介して表示・操作部４へ送出し、表示・操作部４に備えられた表示部は前記データに基き作動中の端末機器の地区名称とその読み仮名を表示する。
【００３０】
実施の形態２．
次に、火災などの異常が発生していない平常時の動作について説明する。図１に示した表示・操作部４に備えられた操作部を操作して、例えば、「新館」、「２階」、「１地区」、「２番」等といったアドレスデ−タ等の地区情報を順次入力する。この情報は、表示・操作部４から制御部３に送出され、制御部３は受信した前記地区情報に該当する地区名称データとその読み仮名データとを、地区名称データベース６から取得し、これを表示・操作部４に送出し、表示・操作部４に備えられた表示部に、該当する地区名称とその読み仮名を表示する。例えば、「演芸場緞帳裏」、「エンゲイジョウドンチョウウラ」と表示する。このとき、図２の表示とは異なり、火災の警報などは表示されず、アドレスデータ等の地区情報に加えて、地区名称とその読み仮名だけが表示される。
【００３１】
さらに、表示・操作部４に備えられた操作部を操作して、地区名称の読み上げを指令すると、表示中の地区名称を音声化することもできる。すなわち、読み上げの操作を行うことによって、表示・操作部４から制御部３に指令を送り、この指令を受けた該制御部３は表示部に送出中の読み仮名データを音声出力部５に送出し、該音声出力部５は読み仮名データを読み上げ、音声出力するのである。
【００３２】
このように、手動操作で任意に地区名称と読み仮名を表示させ、さらに音声出力することにより、熟練していない監視員や操作員であっても普段から地区名称を認識するための訓練を行うことができ、有事に際しての対応能力を向上させることができる。
【００３３】
さらに、端末機器の遠隔点検、防火扉等の自動閉鎖装置の作動、消火ポンプの始動等、を手動で遠隔操作するとき、また、前記操作によって端末機器の作動完了の信号を受信したときにおいても、前記同様、端末機器の場所や作動状況を表示・操作部４に備えられた表示部に作動中の端末機器の地区名称とその読み仮名を表示するし、加えて、その動作状態を表示し、さらに自動的に、あるいは、手動で読み上げの操作を行うことによって、表示部に送出中の読み仮名データを音声出力部５に送出し、該音声出力部５は読み仮名データを読み上げ、音声出力することができる。
【００３４】
実施の形態３．
さらに、前記読み仮名データを用いて、音声警報することもできる形態を図３を用いて説明する。図１との違いは、固定メッセージデータベース７が追加されている点である。他は図１と同様の構成であり、表示部に地区名称とその読み仮名を表示する動作も同様である。
【００３５】
ここで追加した固定メッセージデータベース７は、人が実際に読み上げた定型的なメッセージの音声信号をデジタル化して記憶したもの（以下、発声データと称する）であり、音声出力部５を介して音声出力できるものである。音声出力部５は、この発声データおよび前記読み仮名データの双方を音声出力する機能を有するものとする。
【００３６】
異常を感知する端末機器からの信号を直接または間接的に受信した通信部２は、アドレス番号等の端末機器固有の情報と異常内容の情報とを制御部３に送出する。その情報を受信した制御部３は、実施の形態１と同様、表示部に読み仮名データを送出するが、同じ読み仮名データを音声出力部５にも送出する。
【００３７】
そのデータを受け取った音声出力部５は、予め固定メッセージデータベース７に用意され、音声合成用の発声データであるところの固定メッセージの間に、前記読み仮名データを読み上げたメッセージを挿入して音声出力することによって、異常発生状況を音声で警報する。
【００３８】
例えば、固定メッセージ「火災の警報が発生しました。」の次に、前記読み仮名データを読み上げたメッセージ「ホンカン、チカニカイ、ニサバキジョウ、エレベーターマエ」を挿入し、その後に固定メッセージ「を確認してください」を続けて、異常事態の内容と異常発生箇所を警告する一連の音声警報を成立させるのである。
【００３９】
このとき、地区名称の発声には前記読み仮名データを流用しており、音声警報の為に用意する固定メッセージの発声データは「火災が発生しました」と「を確認してください」等といった定形化されたメッセージだけである。監視対象である建築物等の規模によっては膨大な情報量となる「地区名称」に関する発声データを新たに必要としないことは、大幅な情報量削減となり、装置のコストを圧縮できる。
【００４０】
なお、図３において、固定メッセージデータベース１７と音声出力部１５は別々に配置し、制御部１３を介して信号の受け渡しを行っているが、固定メッセージデータベース１７を音声出力部１５に内包し、制御部１３より制御を行う形態としても良い。
【００４１】
実施の形態４．
次に図４を用いて、前記読み仮名データを用いて音声警報する、他の形態について説明する。図３との違いは、固定メッセージデータベース１７に格納されているデータが文字情報に変わっている点である。他は図３と同様の構成であり、表示部に地区名称とその読み仮名を表示する動作も同様である。また、音声出力部５は、読み仮名データ等の文字情報、例えばテキストデータを音声出力する機能を有するものとする。
【００４２】
異常を感知する端末機器からの信号を直接または間接的に受信した通信部１２は、アドレス番号等の端末機器固有の情報と異常内容の情報とを制御部１３に送る。その情報を受信した制御部１３は、実施の形態１および３と同様、地区名称データベース１６より取得した読み仮名データを表示部１４に送出するが、同じ読み仮名データを音声出力部１５にも送出する。
【００４３】
そのデータを受け取った音声出力部１５は、予め固定メッセージデータベース１７に用意された固定メッセージを制御部１３を介して取得し、その固定メッセージの間に、前記読み仮名データを挿入する。そして、音声出力部１５が、これら一連の文字情報を読み上げて音声出力することによって、異常発生状況を音声で警報することができる。
【００４４】
例えば、固定メッセージ「カサイノケイホウガハッセイシマシタ」の次に、前記読み仮名データ「ホンカン、チカニカイ、ニサバキジョウ、エレベーターマエ」を挿入し、その後に固定メッセージ「ヲカクニンシテクダサイ」を続けて、異常事態の内容と異常発生箇所を警告する一連の音声警報を成立させるのである。
【００４５】
このとき、地区名称の発声には前記読み仮名データを流用しており、音声警報の為に用意する固定メッセージの文字情報は「カサイノケイホウガハッセイシマシタ」と「ヲカクニンシテクダサイ」等といった定形化されたメッセージだけである。監視対象である建築物等の規模によっては膨大な情報量となる「地区名称」に関する発声データを新たに必要としないことは、大幅な情報量削減となり、装置のコストを圧縮できる。
【００４６】
なお、固定メッセージデータベース１７と地区名称データベース１６とに予め用意される文字情報は、共に音声出力部１５で文字情報を読み上げて音声出力するものであるので、これらのデータに対して共通の回路構成とすることができ、音声出力部１５を簡単な構成とすることができる利点がある。
【００４７】
実施の形態５．
以上述べてきた実施の形態は、様々な装置に応用できる。そのうちの一例を図５に示す。図５は、自動火災報知設備の一例であり、図１記載の監視装置１を火災受信機２０としたものである。同図では、異常を感知する端末装置として、差動式スポット型感知器９や定温式スポット型感知器１０といった熱感知器等と光電式スポット型感知器８といった煙感知器を備えている。
【００４８】
火災による、高温度を定温式スポット型感知器１０で、高い温度上昇を差動式スポット型感知器９で、所定濃度以上の煙を光電式スポット型感知器８で、
それぞれ感知した場合、その信号を受信した火災受信機２０は、直ちに、あるいは誤報を避ける為に設けた一定の遅延時間の後に、火災受信機に設けた表示部に図２に示した如く火災警報発生および警報発生地区の表示を行うと共に、火災警報発生の音声警報を行う。
【００４９】
このときの音声警報は、火災受信機が図３記載の監視盤の構成の場合は、図３記載の固定メッセージデータベース７の発声データと、図３記載の地区名称データベース６の読み仮名データとを組み合わせて、例えば次のような音声警報を行う。
「火災の警報が発生しました。」「エンゲイジョウドンチョウウラ」「を確認してください。」
ここに、固定メッセージであるところの発声データ、「火災の警報が発生しました。」や「を確認してください。」は、肉声を電子データ化したものを音声合成で再生するものであり、発音やアクセント等は比較的自然な発声となるが、「エンゲイジョウドンチョウウラ」は、ソフトウェアによってテキストデータ等の読み仮名データを読み上げたものなので、機械的な印象の強い発声となる。
【００５０】
火災受信機が図４記載の監視盤の場合は、図４記載の固定メッセージデータベース１７の読み仮名データと、図４記載の地区名称データベース１６の読み仮名データとを組み合わせて、例えば次のような音声警報を行う。
「カサイノケイホウガハッセイシマシタ。」「エンゲイジョウドンチョウウラ」「ヲカクニンシテクダサイ。」
これらは、ソフトウェアによってテキストデータ等の読み仮名データを読み上げたものなので、全体的に機械的な印象の強い発声となるが、予め音声警報する為に登録すべきデータは、テキスト形式等の読み仮名データだけで済む。
【００５１】
このように火災受信機２０が、火災警報の発生を文字表示と音声で、さらに、警報発生箇所を読み仮名付きの文字表示と音声で警報するので、監視員は聴覚または視覚、あるいはその双方で事態を即座に認識できる。その結果、迅速に現場確認等の対処を行うことができ、管理責任者や第三者に状況を正しく伝達することができ、適切な避難誘導などが可能となる。
【００５２】
実施の形態６．
図６も、上記と同様に自動火災報知設備の他の例であり、異常を感知する端末機器として、差動式スポット型感知器１９や定温式スポット型感知器１１０といった熱感知器等と光電式スポット型感知器１８といった煙感知器を備え、これらからの異常信号は火災受信機１２０を介して、総合操作盤１２１に送出される。この総合操作盤１２１は火災受信機１２０よりも多くの情報処理能力を有しており、大画面の画像表示装置も備え、図１における監視装置１として作用するものであり、実施の形態５に示した火災受信機２０と同様に動作し、同様の効果を奏する。
【００５３】
また、該総合操作盤１２１は、その高い情報処理能力を使って、設置後であっても地区表示や音声警報の内容を登録したり更新することが可能となる。すなわち、図４に示したように、テキストデータ等の読み仮名データをソフトウェアで読み上げる音声警報の構成とした場合、この構成は予め肉声をデジタルデータ化して登録する発声データにはまったく依存しないので、これらは総合操作盤に内蔵した、あるいは外付したキーボード等の操作で、テキストデータ等の文字情報を入力することによって、任意に更新することができる。さらに、請求項２に記載した、任意に読み仮名を表示させ、これを発声させる機能を用いると、装置を現地に設置した後であっても、該総合操作盤１２１において登録または更新したデータを随時確認したり検査することができる。これにより、建設計画の変更やリニューアル工事等に対して、柔軟に対応することが可能となる効果を奏する。
【００５４】
また、図示しないが、発電所や石油掘削プラットホーム等のプラント監視装置や、航空機や船舶等の移動手段における監視装置、等、あらゆる構築物での監視装置に本発明を同様に利用することができ、監視員や操作員の状況認識を高め、安全性を高めることができる。
【符号の説明】
【００５５】
１、１１  監視装置
２、１２  通信部
３、１３  制御部
４、１４  表示・操作部
５、１５  音声出力部
６、１６  地区名称データベース
７、１７  固定メッセージデータベース
８、１８  光電式スポット型感知器
９、１９  差動式スポット型感知器
１０、１１０  定温式スポット型感知器
２０、１２０  火災受信機
１２１  総合操作盤
【図１】
2011048533.tif 000003
【図２】
2011048533.tif 000004
【図３】
2011048533.tif 000005
【図４】
2011048533.tif 000006
【図５】
2011048533.tif 000007
【図６】
2011048533.tif 000008